【手続補正書】
【提出日】平成21年12月8日(2009.12.8)
【手続補正１】
【補正対象書類名】特許請求の範囲
【補正対象項目名】全文
【補正方法】変更
【補正の内容】
【特許請求の範囲】
【請求項１】
画像ベースの文書に対応する複数のページ画像から表示するページ画像を選択する段階であって、前記複数のページ画像がマージされたページ画像を含み、各マージされたページ画像は１つの画像にマージされた画像ベース文書の複数の連続するページ画像から顕著なコンテンツを有する段階と、
前記選択されたページ画像をディスプレイに順次表示する段階とを有する、方法。
【請求項２】
前記複数のページ画像は、１つの画像にマージされた前記画像ベース文書の第１の数のページ画像からの顕著なコンテンツを有するマージされたページ画像の第１のセットと、１つの画像にマージされた前記画像ベース文書の第２の数のページ画像からの顕著なコンテンツを有するマージされたページ画像の第２のセットを含み、前記第１の数と第２の数は異なり、
さらに、表示する前記ページ画像の選択は、前記文書が表示されるべき前記レートが第１のレートである場合、マージされたページ画像の第１のセットを選択し、前記文書が表示されるべき前記レートが第２のレートである場合、マージされたページ画像の第２のセットを選択する、請求項１に記載の方法。
【請求項３】
前記画像ベースのページの顕著なコンテンツを特定する段階と、
前記画像ベース文書の複数のページの特定された顕著なコンテンツを単一の画像にマージすることにより、前記複数のページ画像を生成する段階とをさらに有する、請求項１に記載の方法。
【請求項４】
前記複数のページを生成する段階は、
１つの画像にマージされた前記画像ベース文書の第１の数のページ画像から顕著なコンテンツを有するマージされたページの第１のセットを生成する段階と、
１つの画像にマージされた前記画像ベース文書の第２の数のページ画像から顕著なコンテンツを有するマージされたページの第２のセットを生成する段階であって、前記第２の数は前記第１の数の倍数である段階と、
１つの画像にマージされた前記画像ベース文書の第３の数のページ画像から顕著なコンテンツを有するマージされたページの第３のセットを生成する段階であって、前記第３の数は前記第２の数の倍数である段階とを有し、
前記ページ画像を選択する段階は、速さ制御入力に基づいて前記第１、第２、または第３のセットを選択する段階を有する、請求項３に記載の方法。
【請求項５】
前記顕著なコンテンツを特定する段階は、
前記画像ベース文書の各ページのヒストグラムを計算する段階と、
前記ヒストグラムからの情報に基づいて特徴を見つける段階とを有する、請求項３に記載の方法。
【請求項６】
前記特徴を見つける段階は、
行の高さと間隔を見つける段階と、
ヘッダを見つける段階と、
フッタを見つける段階と、
段組を見つける段階と、
ブランク領域を見つける段階と、
テーブルを見つける段階と、
グラフィカル画像を見つける段階と、
テキスト領域を見つける段階とのうちの１つ以上を有する、請求項５に記載の方法。
【請求項７】
前記特徴を見つける段階は、テキストを分析して、ヘディング、太字、ジャスティフィケーション、センタリング、行高さ、行間隔、インデントからなるグループの１つ以上を特定する段階を有する、請求項５に記載の方法。
【請求項８】
前記選択されたページ画像を前記ディスプレイに順次表示する段階は、前記選択されたページ画像を前向きまたは後ろ向きに表示する段階を有し、前記入力制御に基づいて１つ以上の選択されたページ画像にジャンプバックする段階を更に有する、請求項１に記載の方法。
【請求項９】
システムにより実行された時、システムに一方法を実行させる命令を格納した１つ以上の記録媒体を有する製品であって、前記方法は、
画像ベースの文書に対応する複数のページ画像から表示するページ画像を選択する段階であって、前記複数のページ画像がマージされたページ画像を含み、各マージされたページ画像は１つの画像にマージされた画像ベース文書の複数の連続するページ画像から顕著なコンテンツを有する段階と、
前記選択されたページ画像をディスプレイに順次表示する段階とを有する製品。
【請求項１０】
前記複数のページ画像は、１つの画像にマージされた前記画像ベース文書の第１の数のページ画像からの顕著なコンテンツを有するマージされたページ画像の第１のセットと、１つの画像にマージされた前記画像ベース文書の第２の数のページ画像からの顕著なコンテンツを有するマージされたページ画像の第２のセットを含み、前記第１の数と第２の数は異なり、
さらに、表示する前記ページ画像の選択は、前記文書が表示されるべき前記レートが第１のレートである場合、マージされたページ画像の第１のセットを選択し、前記文書が表示されるべき前記レートが第２のレートである場合、マージされたページ画像の第２のセットを選択する、請求項９に記載の製品。
【請求項１１】
前記方法は、
前記画像ベースのページの顕著なコンテンツを特定する段階と、
前記画像ベース文書の複数のページの特定された顕著なコンテンツを単一の画像にマージすることにより、前記複数のページ画像を生成する段階とをさらに有する、請求項９に記載の製品。
【請求項１２】
前記複数のページを生成する段階は、
１つの画像にマージされた前記画像ベース文書の第１の数のページ画像から顕著なコンテンツを有するマージされたページの第１のセットを生成する段階と、
１つの画像にマージされた前記画像ベース文書の第２の数のページ画像から顕著なコンテンツを有するマージされたページの第２のセットを生成する段階であって、前記第２の数は前記第１の数の倍数である段階と、
１つの画像にマージされた前記画像ベース文書の第３の数のページ画像から顕著なコンテンツを有するマージされたページの第３のセットを生成する段階であって、前記第３の数は前記第２の数の倍数である段階とを有し、
前記ページ画像を選択する段階は、速さ制御入力に基づいて前記第１、第２、または第３のセットを選択する段階を有する、請求項１１に記載の製品。
【請求項１３】
前記顕著なコンテンツを特定する段階は、
前記画像ベース文書の各ページのヒストグラムを計算する段階と、
前記ヒストグラムからの情報に基づいて特徴を見つける段階とを有する、請求項１１に記載の製品。
【請求項１４】
前記特徴を見つける段階は、
行の高さと間隔を見つける段階と、
ヘッダを見つける段階と、
フッタを見つける段階と、
段組を見つける段階と、
ブランク領域を見つける段階と、
テーブルを見つける段階と、
グラフィカル画像を見つける段階と、
テキスト領域を見つける段階とのうちの１つ以上を有する、請求項１３に記載の製品。
【請求項１５】
前記特徴を見つける段階は、テキストを分析して、ヘディング、太字、ジャスティフィケーション、センタリング、行高さ、行間隔、インデントからなるグループの１つ以上を特定する段階を有する、請求項１３に記載の製品。
【請求項１６】
前記選択されたページ画像を前記ディスプレイに順次表示する段階は、前記選択されたページ画像を前向きまたは後ろ向きに表示する段階を有し、前記入力制御に基づいて１つ以上の選択されたページ画像にジャンプバックする段階を更に有する、請求項９に記載の製品。
【請求項１７】
ページ画像のシーケンスを順次表示する段階と、
ユーザ入力を受け取って前記ページ画像のシーケンスを停止する段階と、
前記ユーザが前記ページ画像の前記シーケンス中で停止使用と意図したが前記画像のシーケンスの表示スピードと前記ユーザが停止使用と意図した点の指示を出す反応時間がかかったページ画像の前記シーケンス中の一ページ画像の場所を決定する段階であって、前記場所は前記画像表示レート及び前記ユーザに関連する前記反応時間に基づき選択される段階と、
前記ページ画像のシーケンス中の前記場所にある前記ページ画像に自動的にジャンプバックする段階とを有する、方法。
【請求項１８】
ページ画像のシーケンス中の目標位置の表示を受け取る段階と、
前記ユーザが前記ページ画像の前記シーケンス中で停止使用と意図したが前記画像のシーケンスの表示スピードと前記ユーザが停止使用と意図した点の指示を出す反応時間がかかったページ画像の前記シーケンス中の一ページ画像の場所を決定する段階であって、前記場所は前記場所における前記ページ画像の視覚的な識別性及び前記ユーザに関連する前記反応時間に基づき選択される段階と、
前記ページ画像のシーケンス中の前記場所にある前記ページ画像に自動的にジャンプする段階とを有する、方法。
【請求項１９】
ページ画像のシーケンス中の目標位置の表示を受け取る段階と、
前記ユーザが前記ページ画像の前記シーケンス中で停止使用と意図したが前記画像のシーケンスの表示スピードと前記ユーザが停止使用と意図した点の指示を出す反応時間がかかったページ画像の前記シーケンス中の一ページ画像の場所を決定する段階と、
ページ画像の前記シーケンス中の前記場所にある前記ページ画像に自動的にジャンプし、一方、前記場所が近づくにつれて複数の介在するページ画像を表示する段階とを有する、方法。